(57)【要約】【課題】組付け誤差の影響によるビーム径の劣化を防ぎ、ビームピッチ偏差を抑え、安定した光学性能を実現しつつ小型の光走査装置を実現すること、低コストで低消費電力に適し、安定した画像品質を実現可能な画像形成装置の実現を図ること。そのための光源装置の提供。【解決手段】光源装置１に関し、カップリングレンズ１０４をレンズ保持部材１０３に固定するのに薄肉部１０３ａ１の熱カシメによる溶着、光源を保持した光源保持部材１０２をレンズ保持部材１０３に固定するのに薄肉部１０３ｃ１の熱カシメによる溶着を行うこととし、かかる光源装置を光走査装置や画像形成装置に用いた。【選択図】図５
2010204205.tif 000002
【特許請求の範囲】
【請求項１】
光源と、該光源を保持する光源保持部材と、該光源から発する光ビームを所望の光束にするカップリングレンズと、該カップリングレンズを保持するカップリングレンズ保持部材とを有する光源装置において、
前記カップリングレンズ保持部材に対する前記カップリングレンズ又は前記光源保持部材の何れか又は両方の固定を、熱カシメにより行うことを特徴とする光源装置。
【請求項２】
請求項１記載の光源装置において、
前記カップリングレンズ保持部材には光を通すための開口があり、この開口の一方の出口のまわりは前記カップリングレンズを取り付けるための取付部が構成され、前記カップリングレンズの光軸位置を調整してから固定するための手段として、
前記カップリングレンズと当接する平坦面であって該カップリングレンズの光軸と直交する設置面と、この設置面を囲むようにして光軸方向に起立し前記カップリングレンズの調整範囲を規定する調整枠と、この調整枠の先端部に形成された熱カシメ用の薄肉部を有することを特徴とする光源装置。
【請求項３】
請求項１又は２記載の光源装置において、
前記カップリングレンズ保持部材には前記カップリングレンズの光軸方向に形成された光源装置設置溝があり、前記光源保持部材には前記光源装置設置溝に嵌合し摺動可能な凸部があり、前記光源保持部材が光軸方向の位置調整をしてから固定するための手段として、前記光源装置設置溝の、前記光源保持部材と嵌合する端部において、前記光軸方向と直交する方向に起立する熱カシメ用の薄肉部からなることを特徴とする光源装置。
【請求項４】
請求項１記載の光源装置において、
前記カップリングレンズ保持部材には光を通すための開口があり、この開口の一方の出口のまわりは前記光源保持部材を取り付けるための取付部が構成され、この取付部は、前記光源の光軸位置を調整してから固定するための手段として、
前記光源保持部材と当接する平坦面であって該光源の光軸と直交する設置面と、この設置面を囲むようにして光軸方向に起立し前記光源の調整範囲を規定する調整枠と、この調整枠の先端部に形成された熱カシメ用の薄肉部を有することを特徴とする光源装置。
【請求項５】
請求項４記載の光源装置において、
前記カップリングレンズ保持部材には前記カップリングレンズの光軸進行方向に沿って前記カップリングレンズを摺動可能に支持するレンズ設置溝を有したレンズ支持台が一体化されており、このレンズ支持台には光ビームを所望の光束径にするアパーチャが一体的に保持されていることを特徴とする光源装置。
【請求項６】
請求項１乃至５の何れかに記載の光源装置において、
前記光源として、複数の発光点を有する光源を用いていることを特徴とする光源装置。
【請求項７】
請求項１乃至６の何れかに記載の光源装置において、
前記光源保持部材が金属、前記カップリングレンズ保持部材が樹脂からなることを特徴とする光源装置。
【請求項８】
画像形成用に整えられた形状の光束を出射する光源装置と、該光源装置より出射された光ビームを感光体の軸方向である主走査方向に走査する光偏向器を具備してなる光走査装置において、
前記光源装置として請求項１乃至６の何れかに記載の光源装置を用いたことを特徴とする光走査装置。
【請求項９】
請求項８記載の光走査装置において、
前記光源装置から発して前記光偏向器に向かう光ビームが前記主走査方向と直交する副走査方向に所定角度傾いて入射する斜め入射の構成となるように、前記偏向器に対する前記光源装置の配置を設定したことを特徴とする光走査装置。
【請求項１０】
光ビームを感光体上に走査して静電潜像を形成し、この静電潜像をトナーにより可視像化し、記録媒体に転写し、定着して記録画像を得る画像形成装置において、
前記光ビームを出射する光源装置として請求項１乃至７記載の光源装置を用い、又は前記光ビームを感光体に走査する手段として請求項８乃至９記載の光走査装置を用いることを特徴とする画像形成装置。
【発明の詳細な説明】
【技術分野】
【０００１】
本発明は、光源装置、該光源装置を用いた光走査装置及び該光源装置又は該光走査装置を用いた複写装置、ファクシミリ、プリンタ、プロッタ、複合機、等の画像形成装置に関する。
【背景技術】
【０００２】
（１）光走査装置、画像形成装置について：
レーザプリンタ等に関連して広く知られた光走査装置は一般に、光源側からの光ビームを光偏向器により偏向させ、ｆθレンズ等の走査結像光学系により被走査面に向けて集光して被走査面上に光スポットを形成し、この光スポットで被走査面を光走査(主走査)するように構成されている。被走査面の実体をなすものは光導電性の感光体等、感光媒体の感光面である。また、フルカラー画像形成装置の一例として、４つの感光体を記録紙の搬送方向に配列し、これらの各感光体に対応した複数の光源装置から放射された光ビームを１つの偏向手段により偏向走査し、各感光体に対応する複数の走査結像光学系により各感光体に同時に露光して潜像をつくり、これらの潜像をイエロー、マゼンタ、シアン、ブラックなどの各々異なる色の現像剤を使用する現像器で可視像化したのち、これらの可視像を同一の記録紙に順次重ね合わせて転写し定着することで、カラー画像を得ることができるように構成されている。このように、光走査装置と感光体の組み合わせを２組以上用いて、２色画像や多色画像、カラー画像等を得るようにした画像形成装置は「タンデム式画像形成装置」として知られている。
【０００３】
このようなタンデム式画像形成装置として、複数の感光媒体が単一の光偏向器を共用する方式のものが開示されている。
（ａ）感光体表面をレーザ光が走査する方向と感光体表面上に一直線上に並んだレーザ光スポットを結ぶ線との成す角度を可変としたレーザ走査光学装置に関連して、略平行でかつ副走査方向に離れた複数の光束を偏向器に入射し、複数の光束に対応する複数の走査光学素子を副走査方向に並べて走査するものが開示されている（例えば、特許文献１参照）。
（ｂ）偏向器の片側より光束が入射し、出射する光ビームがＬ１、Ｌ２、Ｌ３の３つの走査光学系を通過するようになっていて、Ｌ１、Ｌ２は異なる被走査面に向かう複数の光束が通過し、Ｌ３は各被走査面毎に設けられているものが開示されている（例えば、特許文献２、特許文献３、特許文献４参照）。
【０００４】
このように、複数の被走査面で光偏向器を共用すると、光偏向器の数を減らすことにより、画像形成装置をコンパクト化することが可能になる。しかし、例えば、シアン、マゼンタ、イエロー、ブラックの４つの異なる被走査面（感光体）を持つフルカラー対応の画像形成装置の光走査装置としては、光偏向器の数を減らすことは可能だが、副走査方向に並べられた複数の感光体に向かう光ビームを略平行に並べて光偏向器に入射させるため、ポリゴンミラーが副走査方向に大型化する。このことから一般的に、光走査装置内の光学素子のうち、ポリゴンミラー部のコストは高いため、装置全体の低コスト化、及び小型化を狙う場合において、ポリゴンミラーの使用は適しないといえる。
【０００５】
（２）斜入射光学系について：
さらに最近では、カラー画像形成装置の光走査装置において、単一の光偏向器として低コスト化を図る手段として、光偏向器の偏向反射面に副走査方向に角度をもたせて光ビームを入射させる斜め入射光学系が知られている（例えば、特許文献５参照）。前記斜め入射光学系は、複数の光ビームがそれぞれ偏向反射面で偏向反射された後に、各々対応する被走査面（感光体）に、折返しミラーなどで分離され導かれる。この時、それぞれの光ビームの副走査方向の角度（光偏向器に斜め入射する角度）は、前記ミラーで各光束が分離可能な角度に設定されている。この斜め入射光学系を用いることで、前記ミラーで各光束が分離可能な副走査方向の隣接する光ビームの間隔を、光偏向器の大型化（副走査方向へのポリゴンミラーの多段化、厚肉化）無しに実現可能となる。
【０００６】
しかし反面、斜め入射方式には「走査線曲がり」が大きいという問題がある。この走査線曲がり発生量は、前記各光ビームの副走査方向の斜め入射角により異なり、各々の光ビームで描かれた潜像を各色のトナーにより重ね合わせ可視化した際に、色ずれとなって現れてしまう。また、斜め入射することにより、光束が走査レンズにねじれて入射することで、波面収差も増大し、特に周辺の像高で光学性能が著しく劣化し、ビームスポット径が太ってしまい、高画質化を妨げる要因となる。
【０００７】
このような、斜め入射方式に固有の「大きな走査線曲がり」を補正する方法として、走査結像光学系に「副走査断面内におけるレンズ面の固有傾きを、走査線曲がりを補正するように主走査方向へ変化させたレンズ面を有するレンズ」を含める方法（例えば、特許文献６参照）や、走査結像光学系に「副走査断面内における反射面の固有傾きを、走査線曲がりを補正するように主走査方向へ変化させた反射面を有する補正反射面」を含める方法（例えば、特許文献７参照）等が提案されている。
【０００８】
また、斜め入射される光束を走査レンズの軸外を通し、走査レンズの子線の非球面量を主走査方向に沿って変化させる面を用いて走査線の位置を揃える方法（例えば、特許文献８参照）が提案されている。しかし、本公報においては、１枚の走査レンズにて補正を行う例を挙げており、前記走査線曲がりの補正は可能であるが、以下に説明する波面収差増大によるビームスポット径の劣化については記述されていない。
【０００９】
斜め入射方式の問題点といえる上記「走査線曲がりと波面収差の劣化」を良好に補正できる光走査装置として、走査結像光学系に複数の回転非対称レンズを含め、これら回転非対称レンズのレンズ面の子線頂点を結ぶ母線形状を副走査方向に湾曲させたものが提案されている（例えば、特許文献９参照）。しかし、これらは設計値での補正方法は記載されているものの、光学素子の組み付け誤差、加工誤差等の影響により、斜入射角が変化することにより、設計時に補正した走査線曲がりや波面収差が劣化し、画像品質を低下させてしまう。
【００１０】
また、別の課題として、組み付け誤差、加工誤差の影響で斜め入射角度が変化した場合、走査レンズ、折返しミラーなどの光学素子により光ビームが「ケラレ」てしまい、ビームスポット径の劣化、更には、被走査面に光ビームが到達しないという問題が発生する。各光学素子を精度よく加工し、組み付けることでかかる不利益を低減できるが、部品の大幅なコストアップや、組み付けの難易度が上がることで、組み付け時間が増大し現実的ではない。
【００１１】
斜め入射光学系においては、偏向反射面へ斜入射させる角度が増大すると、諸収差が劣化し光学性能が劣化する。具体的には波面収差の劣化によるビームスポット径の劣化、走査線曲がりの増大などが挙げられる。光学性能面、及び、光走査装置の小型化の観点からも、斜め入射角をできるだけ小さく設定することが望ましい。しかしながら、斜め入射角を小さくすると、各々対応する被走査面に各光ビームを分離するのが困難になる。これは、斜め入射角を小さく設定しつつ、異なる被走査面へ向かう光ビームを分離可能にするため、前記分離位置での光ビームの副走査方向の間隔は極力狭く設定される。この時、斜め入射角が変化し、光ビームが副走査方向に変化すると、光学素子に光ビームの一部がケラレ、ビームスポット径が太ってしまい、「ケラレ」ない場合、もしくは、ケラレ量によりビームスポット径が変動するため、安定したビームスポット径を得ることができない。
【００１２】
斜め入射光学系の光源装置の例として、出射した光束が副走査方向で所定の角度をなして互いに交差する、異なる筐体にパッケージ化された複数の光源と、前記複数の光源から出射したそれぞれの光束を略平行な光束にそれぞれ変換する複数のコリメータレンズと、前記複数の光源から出射した光束をそれぞれ異なる対象物に結像させる走査結像手段とを有する走査式光学装置において、前記それぞれの光源およびコリメータレンズを保持する鏡筒部を、それぞれの光源の光軸を傾斜させて一体化して設けるとともに、前記それぞれの光源またはコリメータレンズを照射位置およびピント方向に独立して調整可能に保持する鏡筒部材を備えた構成が知られている（例えば、特許文献１０参照）。
しかし、該特許文献１０において、前記、組み付け誤差、加工誤差の影響で斜入射角度が変化することに伴う上記問題は解決されていない。全ての光学素子が組みつけられた後にカップリングレンズを調整し、副走査方向の角度を調整する手段も考えられるが、光源装置の組み付けや調整が複雑になり、調整時間の増大などの問題も発生し望ましくない。
【００１３】
従来の光源装置では、カップリングレンズはその保持部材に対して接着剤により保持され（例えば、特許文献１１、１２参照）、或いはＶ溝に載置して上から板ばねで保持する（例えば、特許文献１３、１４、１５参照）、光源は保持部材をネジにより締結されることが多い。光源装置を構成する際には、光軸やピントなどの調整を伴う。接着剤を用いる場合、その調整時に接着層の不均一性が発生し、光ビームの劣化へとつながる。また、ネジ締結を用いる場合には、複数間のネジ圧力の不均一性が生じ、接着剤と同様に光ビームの劣化へとつながる。接着剤やネジ等の調整に使用する部品も増え、作業工程も煩雑になり、調整時間の増大につながる。
【発明の概要】
【発明が解決しようとする課題】
【００１４】
本発明は上述の事情の下になされたもので、良好で且つ安定した光学性能を実現しつつ小型の光走査装置を実現する光源装置を提供することを第一の課題とする。光源装置の組付け誤差の影響によるビーム径の劣化を防ぎ、ビームピッチ偏差を抑えることを第二の課題とする。低コストで低消費電力に適し、良好で安定した画像品質を実現可能な画像形成装置の実現を第三の課題とする。
【課題を解決するための手段】
【００１５】
前記課題を達成するため請求項１に係る発明は、光源と、該光源を保持する光源保持部材と、該光源から発する光ビームを所望の光束にするカップリングレンズと、該カップリングレンズを保持するカップリングレンズ保持部材とを有する光源装置において、前記カップリングレンズ保持部材に対する前記カップリングレンズ又は前記光源保持部材の何れか又は両方の固定を、熱カシメにより行うこととした。
請求項２に係る発明は、請求項１記載の光源装置において、前記カップリングレンズ保持部材には光を通すための開口があり、この開口の一方の出口のまわりは前記カップリングレンズを取り付けるための取付部が構成され、前記カップリングレンズの光軸位置を調整してから固定するための手段として、前記カップリングレンズと当接する平坦面であって該カップリングレンズの光軸と直交する設置面と、この設置面を囲むようにして光軸方向に起立し前記カップリングレンズの調整範囲を規定する調整枠と、この調整枠の先端部に形成された熱カシメ用の薄肉部を有することとした。
請求項３に係る発明は、請求項１又は２記載の光源装置において、前記カップリングレンズ保持部材には前記カップリングレンズの光軸方向に形成された光源装置設置溝があり、前記光源保持部材には前記光源装置設置溝に嵌合し摺動可能な凸部があり、前記光軸保持部材が光軸方向の位置調整をしてから固定するための手段として前記光源設置溝の、前記光源保持部材と嵌合する端部において、前記光軸方向と直交する方向に起立する熱カシメ用の薄肉部からなることとした。
請求項４に係る発明は、請求項１記載の光源装置において、前記カップリングレンズ保持部材には光を通すための開口があり、この開口の一方の出口のまわりは前記光源保持部材を取り付けるための取付部が構成され、この取付部は、前記光源の光軸位置を調整してから固定するための手段として、前記光源保持部材と当接する平坦面であって該光源の光軸と直交する設置面と、この設置面を囲むようにして光軸方向に起立し前記光源の調整範囲を規定する調整枠と、この調整枠の先端部に形成された熱カシメ用の薄肉部を有することとした。
請求項５に係る発明は、請求項４記載の光源装置において、前記カップリングレンズ保持部材には前記カップリングレンズの光軸進行方向に沿って前記カップリングレンズを摺動可能に支持するレンズ設置溝を有したレンズ支持台が一体化されており、このレンズ支持台には光ビームを所望の光束径にするアパーチャが一体的に保持されていることとした。
請求項６に係る発明は、請求項１乃至５の何れかに記載の光源装置において、前記光源として、複数の発光点を有する光源を用いていることとした。
請求項７に係る発明は、請求項１乃至６の何れかに記載の光源装置において、前記光源保持部材が金属、前記カップリングレンズ保持部材が樹脂からなることとした。
請求項８に係る発明は、画像形成用に整えられた形状の光束を出射する光源装置と、該光源装置より出射された光ビームを感光体の軸方向である主走査方向に走査する光偏向器を具備してなる光走査装置において、前記光源装置として請求項１乃至６の何れかに記載の光源装置を用いた。
請求項９に係る発明は、請求項８記載の光走査装置において、前記光源装置から発して前記光偏向器に向かう光ビームが前記主走査方向と直交する副走査方向に所定角度傾いて入射する斜め入射の構成となるように、前記偏向器に対する前記光源装置の配置を設定した。
請求項１０に係る発明は、光ビームを感光体上に走査して静電潜像を形成し、この静電潜像をトナーにより可視像化し、記録媒体に転写し、定着して記録画像を得る画像形成装置において、前記光ビームを出射する光源装置として請求項１乃至７記載の光源装置を用い、又は前記光ビームを感光体に走査する手段として請求項８乃至９記載の光走査装置を用いることとした。
【発明の効果】
【００１６】
本発明では、光源装置に関し、走査光の光源や走査光が経由する光学部材の固定手段として機械的な固定手段を使用することなく、光源及びカップリングレンズの何れか又は両者を被保持部材に固定した光源装置の構成を可能とし、調整時においても、カップリングレンズと光源を位置調整された状態を保持したまま固着することが可能となり、機械的な固定手段等による従来技術に比べて固定部の不均一性を抑え光源装置の組付け誤差の影響によるビーム径の劣化を防ぎ、複数ビーム書き込み系ではビームピッチ偏差を抑えることが可能となる。
本発明では、光走査装置に関し、光源装置における熱カシメにより良好で且つ安定した光学性能を実現しつつ、斜め入射の構成を採ることで小型の光走査装置を実現することができる。
本発明では、画像形成装置に関し、光源装置に熱カシメを採用したことから低コストで低消費電力に適し、走査用光ビームの位置が高精度に安定して得られることから良好で安定した画像品質を実現可能な画像形成装置の実現が可能となる。
【図面の簡単な説明】
【００１７】
【図１】第１の実施形態に係る光源装置をカップリングレンズ側からみたときの斜視図である。
【図２】第１の実施形態に係る光源装置を光源側からみたときの斜視図である。
【図３】第１の実施形態に係る光源装置をカップリングレンズ側からみたときの正面図である。
【図４】第１の実施形態に係る光源装置の断面図である。
【図５】第１の実施形態に係る光源装置をカップリングレンズ側からみたときの分解斜視図である。
【図６】第１の実施形態に係る光源装置を光源側からみたときの分解斜視図である。
【図７】光走査装置における斜め入射の構成を説明した図である。
【図８】斜め入射による光走査装置による感光体への光路を説明した図である。
【図９】画像形成装置の概略構成図である。
【図１０】第２の実施形態に係る光源装置をカップリングレンズ側からみたときの斜視図である。
【図１１】第２の実施形態に係る光源装置を光源側からみたときの斜視図である。
【図１２】第２の実施形態に係る光源装置の側面図である。
【図１３】第２の実施形態に係る光源装置の断面図である。
【図１４】第２の実施形態に係る光源装置をカップリングレンズ側からみたときの分解斜視図である。
【図１５】第２の実施形態に係る光源装置を光源側からみたときの分解斜視図である。
【図１６】第２の実施形態の変形例でマルチビーム光源装置をカップリングレンズ側からみたときの分解斜視図である。
【図１７】第２の実施形態の変形例でマルチビーム光源装置を光源側からみたときの分解斜視図である。
【発明を実施するための形態】
【００１８】
［第１の実施形態］
［例１］
本例は、光源と、該光源を保持する光源保持部材と、該光源から発する光ビームを、所望の状態になるように収束もしくは発散させる役割をもつカップリングレンズと、該カップリングレンズを保持するカップリングレンズ保持部材とを有する光源装置において、前記カップリングレンズ保持部材に対する前記カップリングレンズの固定及び前記カップリングレンズ保持部材に対する前記光源保持部材の固定を共に熱カシメにより行う例である。
本例において、前記カップリングレンズに対して前記光源保持部材は光軸方向に位置調節可能であり、調節後に固定される。
【００１９】
本例では前記カップリングレンズ保持部材に対する前記カップリングレンズの固定及び前記カップリングレンズ保持部材に対する前記光源保持部材の固定が共に熱カシメによる固定であるので、機械的な固定手段である締結部品を用いることなく、調整時間の短縮を図り、小型かつ安価で、交換が容易な光源装置の提供が可能となる。また、光源またはカップリングレンズの少なくとも一方を熱カシメで固定することによっても、その部位について同様の利益を得る。光源装置の基本構成について説明を加える。
【００２０】
＜光源装置の構成＞
図１乃至図６を適宜参照しつつ説明する。本例の光源装置１は、半導体レーザによる光源１０１と、該光源１０１を保持する光源保持部材１０２と、該光源１０１から発する光ビームを所望の光束にするカップリングレンズ１０４と、該カップリングレンズ１０４を保持するカップリングレンズ保持部材１０３を主な要素としている。
【００２１】
＜光源装置における要素部材の固定手段＞
図４〜図６に示すように光源１０１は、大径のフランジ状部（ヒートシンク部）１０１ａと、このフランジ状部１０１ａに隣接する小径の円筒状部１０１ｂを有する。このフランジ状部１０１ａを、円環状をした光源保持部材１０２の内径部１０２ａに嵌合させ締まり嵌めにより、光源１０１は光源保持部材１０２と一体化されている。
【００２２】
このようにして一体化された光源保持部材１０２の組み付け対象物であるカップリングレンズ保持部材１０３は全体としてその側面形状が概略凸字状をなしており、その中央から突出した部位が円筒状部１０３ｄを形成している。この円筒状部１０３ｄの内径部１０３ｄ１は光を通すための開口であり、ここには光源保持部材１０２の外径部が挿入嵌合される。この円筒状部１０３ｄの基端側は平板状部１０３ｅと一体化されている。平板状部１０３ｅはカップリングレンズ保持部材１０３を光源装置本体（一例を図１６に符号２０８で例示）等に取り付ける際の取付座としても機能し、取り付け用のねじ孔が形成されている。また、円筒状部１０３ｄにおいて基端側の反対側である自由端側の端部にはカップリングレンズ１０４が固定される。
【００２３】
円筒状部１０３ｄの基端側であって平板状部１０３ｅの設置方向と直交する方向上には、円筒状部１０３ｄの肉厚部を貫通して光源保持部材１０２を設置するための光源装置設置溝１０３ｃが直径方向上に対向して２つ形成されている。これら光源装置設置溝１０３ｃは円筒状部１０３ｄの軸線方向（カップリングレンズの光軸上）に長さを有する形状をしている。さらに、この光源装置設置溝１０３ｃには該溝幅を確保しつつ、円筒状部１０３ｄの半径方向外方（カップリングレンズの光軸と交差する高さ方向）に突出し、この突出方向に高さをもつ薄肉の板状をした薄肉部１０３ｃ１が該円筒状部１０３ｄの長手方向に長さを有して形成されている。すなわち、薄肉部１０３ｃ１は、光源保持部材１０２が光軸方向の位置調整をされたのち、カップリングレンズ保持部材１０３に固定するための手段であって、光源設置溝１０３ｃの、光源保持部材１０２に設けられた凸部１０２ｂと嵌合する端部において、光軸方向と直交する方向に起立する熱カシメ用の薄肉部である。一方、光源保持部材１０２の外円周面には直径方向上で対向して２つの４角柱状の凸部１０２ｂが形成されている。これらの凸部１０２ｂは光源保持部材１０２の軸線方向に整列されている。２つの凸部１０２ｂはそれぞれ、２つの光源装置設置溝１０３ｃに嵌合して摺動可能である。
【００２４】
こうして光源保持部材１０２は、カップリングレンズ保持部材１０３の光源装置設置溝１０３cに摺動される状態で装着される。この装着状態で、薄肉部１０３ｃ１は後工程の熱カシメ工程において固定がより効果的になるように凸部１０２ｂの頂部よりも少し高い高さ寸法を有している。これにより、熱カシメにおいて薄肉部１０３ｃ１の頂部が軟化溶融して凸部の頂部にまわりこみ両部材の一体化による固定を強固にできる。
【００２５】
＜光源の位置調整＞
光源１０１の位置調整について説明を加える。光源１０１を保持した光源保持部材１０２は、カップリングレンズ保持部材１０３上に設けられた光源装置設置溝１０３ｃに凸部１０２ｂが嵌合摺動可能に設置されることにより、光軸方向での調整を可能とする。光源保持部材１０２が、光源装置設置溝１０３ｃに沿って位置を調整された後、光源装置設置溝１０３ｃ上に設けられた熱カシメ用の薄肉部１０３ｃ１に熱を加えられる。薄肉部１０３ｃ１の薄肉部が溶けることにより光源保持部材１０２と一体の凸部１０２がカップリングレンズ保持部材１０３と一体化し、溶けた箇所が固まることにより、光源保持部材１０２とカップリングレンズ１０３の位置関係が保持されることになる。
【００２６】
＜カップリングレンズの固定手段＞
図１乃至図６を適宜参照しつつ説明する。カップリングレンズ１０４は、円筒状部１０３ｄ上、光源保持部材１０２が装着された該円筒状部１０３ｄの基端側の反対側に保持される。カップリングレンズ保持部材１０３の内径部１０３ｄ１の、光源保持部材１０２が装着された基端側の反対側（自由端側）の出口端面のまわりはカップリングレンズ１０４を取り付けるための取付部を構成し、カップリングレンズ１０４の光軸位置を調整してから固定するための手段として、カップリングレンズ１０４と当接する平坦面であって該カップリングレンズ１０４の光軸方向と直交する設置面１０３ｄ２と、この設置面１０３ｄ２の中心部を囲むようにして光軸方向に起立しカップリングレンズ１０４の調整範囲を規定する４つのカップリングレンズ用の調整枠１０３ａと、これらの調整枠１０３ａの先端部に形成された熱カシメ用の薄肉部１０３ａ１を有している。
【００２７】
＜カップリングレンズの位置調整＞
カップリングレンズ１０４の位置調整について説明を加える。カップリングレンズ１０４は、カップリングレンズ保持部材１０３の設置面１０３ｄ２に対して当接された状態のまま、光軸の進行方向に垂直な平面内でカップリングレンズ用の調整枠１０３ａの範囲での調整を可能とする。調整される方向としては、感光体の回転軸方向（主走査）、感光体の回転方向（副走査）、光軸を中心とする回転方向の３軸を基本としている。その調整範囲はカップリングレンズ用の調整枠１０３ａにより規制される。
【００２８】
＜調整手順＞
カップリンレンズ１０４は、カップリングレンズ保持部材１０３に設けられた設置面１０３ｄ２上に設けられたカップリングレンズ用の調整枠１０３ａに囲まれた範囲内にて光ビームの中心がカップリングレンズ１０４の光軸と合致するように位置調整され、また、光源１０１はカップリングレンズ１０４との関係でピントが合うように凸部１０２ｂが光源装置設置溝１０３ｃに沿って往復動方向に移動調整される。これらの調整は同時的に行なわれ、位置が定まったところで、光源とレンズは同時に熱カシメにより固着されることとなる。
【００２９】
＜光源及びカップリングレンズの固定＞
光源１０１を保持した光源保持部材１０２は、カップリングレンズ保持部材１０３の内径部（開口）１０３ｄ１に挿入されると同時に、その凸部１０２ｂをカップリングレンズ保持部材１０３の設置溝１０３ｃに挿入され摺動される状態となって、カップリングレンズ１０４との関係で光軸方向での位置調整がなされてから、薄肉部１０３ｃ１を熱でカシメることによりカップリングレンズ保持部材１０３に固定され、光源１０１とカップリングレンズ保持部材１０３の位置関係が固定保持されることになる。
【００３０】
一方、カップリングレンズ１０４は、その光軸と直交する端面がカップリングレンズ保持部材１０３上に設けられた設置面１０３ｄ２に、図示しない組み立て治具である調整器により押し当てられる。その際、カップリングレンズ１０４と、光源調整枠１０３ａの間には、画像書き込み光走査用の光ビームを形成するために必要な調整代が存在する。つまり、この調整代の範囲で、カップリングレンズ１０４は設置面１０３ｄ２に押し当てられた状態のもとで位置調整可能であり、設置面１０３ｄ２上を全方位にスライドでき、押し当てたままで摺動回転動作も可能である。カップリングレンズ１０４は、設置面１０３ｄ２に当接された状態で主走査方向、副走査方向、回転方向等について、その位置を調整された後、カップリングレンズ用の調整枠１０３ａ上に設けられた熱カシメ用の薄肉部１０３ａ１に熱を加えられる。これにより、薄肉部１０３ａ１が溶けてカップリングレンズ１０４に接し、溶けた箇所が固まることにより、カップリングレンズ１０４はカップリングレンズ保持部材１０３に固定され、カップリングレンズ１０４とカップリングレンズ保持部材１０３位置関係が保持されることになる。
【００３１】
このように、カップリングレンズ保持部材１０３を介して、カップリングレンズ１０４と光源１０１との位置関係が定まる。本例では、カップリングレンズ１０４と光源１０１との相対的な位置関係を調整した上で、その調整状態を保持したまま固定するため、調整及び両熱カシメは時間的に並行して同時的に行なわれる。
【００３２】
＜熱カシメによる利点＞
本例では、ネジなどの締結部品を使用することなく光源装置を構成する光源、カップリングレンズが固定される構成のため、光源装置に用いる部品点数の軽減が可能となる。位置を調整した直後に熱により固着することから、ばねやネジなど機械的固定手段に比べ、固着時に起こる位置変動を抑え、良好な光ビームを形成することが可能となる。光源装置が共通の部品から構成されることにより、公差を抑えた量産体制により製造上の部品ばらつきが抑えられ、各光源装置間の光ビームが安定した品質を保つことが可能となる。また、カップリングレンズ設置部、光源設置部ともに、熱カシメに際して熱を加える部分を薄肉部１０３ｃ１、１０３ａ１のみにすることにより加熱による光源への影響を最小限に抑えることが可能となる。さらに、光源とカップリングレンズを一体で同時的に調整することにより、調整箇所の逓減及び調整時間の縮小が可能となる。また、光源装置としてのサービスパーツ化が容易となり、組み換え前後の画像品質の差を軽減することが可能となる。
【００３３】
［例２］
前記例１では、光源装置１において、光源１０１として単数の発光点を有するものについて説明した。本例は光源１０１に代えて、複数の発光点を有する光源、所謂マルチ光源を用いる。例えば、光源１０１に代えて、複数の発光点を有する半導体レーザアレイ等を使用し、熱カシメにより固定し、複数の光ビームを偏向させて、複数の感光体表面に同時に走査するように構成することにより、高速化、高密度化を図った光走査装置および画像形成装置を構成することができ、かかる光走査装置および画像形成装置を構成した場合も、これまで説明してきた効果と同様の効果を得ることができる。
【００３４】
［例３］
前記例１の光源装置１において、光源保持部材１０２として金属、カップリングレンズ保持部材１０３として樹脂を用いることにより、溶融点の違いにより、薄肉部１０３ｃ１（樹脂）と凸部１０２ｂ（金属）との間で熱カシメを良好に行なうことができる。また、カップリングレンズ１０４は硝子であり、カップリングレンズ保持部材１０３（樹脂）の一部である薄肉部１０３ａ１との間でも材料の違いから溶融点に差があるので熱カシメによる固定が良好に行なわれる。
【００３５】
［例４］
画像形成用に整えられた形状の光束を出射する光源装置と、該光源装置より出射された光ビームを感光体の軸方向である主走査方向に走査する光偏向器を具備してなる光走査装置において、例１、２、３等の構成からなる光源装置を使用することにより、かかる光源装置の特性を生かした光走査装置を提供することができる。
【００３６】
［例５］
図７は例１の光源装置１を適用した光走査装置について光ビームの光路及び光学部材を示している。光源１０１より出射した光ビームＬはカップリングレンズ１０４、アパーチャ１０９の開口１０９ａ、シリンドリカルレンズ１１０を通り、光偏向器１１２に入射され、偏向されて感光体に向けて出射される構成である。本例では、図７のように、光ビームＬが光偏向器１１２の中心軸に直交する平面１１４、１１５に対して、副走査方向に所定角度（α）傾いた光束が入射するように、光源１０１と、カップリングレンズ１０４と、光整形用の開口を有するアパーチャ１０９と、シリンドリカルレンズ１１０とが、光走査装置の斜入射平面１１３に沿って配置される構成としていることを示している。光偏向器１１２への入射ビームを生成する図７に示したような光学手段を、所定角度（α）を異ならせて光偏向器の略同じ位置に入射するようにして４組（シアン、マゼンタ、イエロー、ブラック用の４組）配置することにより、図８に示したように、光偏向器１１２により偏向される４つの各出射光束Ｌ１、Ｌ２、Ｌ３、Ｌ４が、光偏向器１１２への入射角度（所定角度αに対応する角度であって互いに異なる角度）と同じ角度を有して出射され、それぞれの光束が、対応する各結像光学系１０６、１０７、ミラーＭＲを経て、感光体１１６Ｙ、１１６Ｍ、１１６Ｃ、１１６Ｋへと結像される。このような斜め入射光学系の構成をとることにより、光走査装置全体の物理的な大きさを抑えることが可能となり、かつ、折り返しミラー等の部材の使用数を軽減することが可能となる。
【００３７】
本例においては、光源１０１、カップリングレンズ１０４は光源装置に含まれ、さらに該光源装置を含みかつ、アパーチャ１０９、シリンドリカルレンズ１１０、光偏向器１１２、結像光学系１０６、１０７を含んで光走査装置９を構成している。なお、光源装置として光源１０１、カップリングレンズ１０４に加えてアパーチャ１０９を含む例もあるし、含まない例もある。
【００３８】
［例６］
光ビームを感光体上に走査して静電潜像を形成し、この静電潜像をトナーにより可視像化し、記録媒体に転写し、定着して記録画像を得る画像形成装置において、これまで説明した光源装置や光走査装置を適用することができる。画像形成装置の一例を以下に説明する。本例は、本発明に係る光走査装置９をタンデム型フルカラーレーザプリンタに適用した例である。
【００３９】
図９において、装置内の下部側には水平方向に配設された給紙カセット１３から送り出しローラ１４、分離ローラ対１５を経て給紙されるシート状媒体の一例である転写紙Ｓを搬送する搬送ベルト１７が設けられている。搬送ベルと１７は支持ローラ１８、１９により支持されて回転駆動される。この搬送ベルト１７上にはイエローＹ用の感光体１１６Ｙ，マゼンタＭ用の感光体１１６Ｍ，シアンＣ用の感光体１１６Ｃ及びブラックＫ用の感光体１１６Ｋが、転写紙の搬送方向上流側から順に等間隔で配設されている。
【００４０】
なお、以下、符号に対する添字Ｙ，Ｍ，Ｃ，Ｋを適宜付けて区別するものとする。これらの感光体１１６Ｙ，１１６Ｍ，１１６Ｃ，１１６Ｋは全て同一径に形成されたもので、その周囲には、電子写真プロセスにしたがって各プロセスを実行するプロセス部材が順に配設されている。感光体１１６Ｙを例に採れば、帯電チャージャ８Ｙ、光走査光学系６Ｙ、現像装置１０Ｙ、転写チャージ１１Ｙ、クリーニング装置１２Ｙ等が順に配設されている。他の感光体７Ｍ，７Ｃ，７Ｋに対しても同様である。即ち、本例では、感光体１１６Ｙ，１１６Ｍ，１１６Ｃ，１１６Ｋの表面を各色毎に設定された被走査面ないしは被照射面とするものであり、各々の感光体に対して光走査光学系６Ｙ，６Ｍ，６Ｃ，６Ｋが１対１の対応関係で設けられている。但し、結像光学系１０６は、Ｍ，Ｙで共通使用し、また、Ｋ，Ｃで共通使用している。
【００４１】
光走査装置９における光走査光学系６Ｙは、光偏向器１１２以降については、光偏向器１１２、結像光学系１０６、１０７、ミラーＭＲからなり、光源から光偏向器１１２までについては、図７に準ずる。
【００４２】
また、図９において、搬送ベルト１７の周囲には、感光体１１６Ｙよりも上流側に位置させてレジストローラ１６と、ベルト帯電チャージャ２０が設けられ、感光体１１６Ｋよりもベルト１７の回転方向下流側に位置させてベルト分離チャージャ２１、除電チャージャ２２、クリーニング装置２３等が順に設けられている。また、ベルト分離チャージャ２１よりも転写紙搬送方向下流側には定着装置２４が設けられ、定着後の転写紙Ｓを送り出す排紙ローラ２５と結ばれている。
【００４３】
このような概略構成において、例えば、フルカラーモード（複数色モード）時であれば、各感光体１１６Ｙ，１１６Ｍ，１１６Ｃ，１１６Ｋに対してＹ，Ｍ，Ｃ，Ｋ用の各色の画像信号に基づき各々の光走査光学系６Ｙ，６Ｍ，６Ｃ，６Ｋによる光ビームの光走査で、各感光体表面に、各色信号に対応した静電潜像が形成される。これらの静電潜像は各々の対応する現像装置１０Ｙ，１０Ｍ，１０Ｃ，１０Ｋで色トナーにより現像されてトナー像となり、搬送ベルト１７上に静電的に吸着されて搬送される転写紙Ｓ上に順次転写されることにより重ね合わせられ、転写紙Ｓ上にフルカラー画像が形成される。
【００４４】
このフルカラー像は定着装置２４で定着された後、排紙ローラ２５により排紙トレイ２６に排紙される。上記画像形成装置の光走査光学系６Ｙ，６Ｍ，６Ｃ，６Ｋを、前述した例にかかる光源装置を具備した光走査装置とすることで、低コスト化、低消費電力、小型化に適した斜め入射方式の光走査装置において、組み付け誤差、加工誤差の影響による光ビームの副走査方向の角度変化を低減し、走査線曲がりと波面収差の劣化を低減し、良好で安定した画像品質を実現可能な画像形成装置の実現が可能となる。
【００４５】
本例では、第１の実施形態にかかる光源装置をタンデム型フルカラーレーザプリンタに適用した場合を説明したが、これに限らず、カラー或いはモノクロの複写装置、ファクシミリ、プリンタ、プロッタ、複合機、等の画像形成装置の走査用光源装置として用いることができることはもちろんである。
また、本発明に係る光源装置を用いた光走査装置及び画像形成装置において、従来のポリゴンスキャナと比較し、振動ミラーを用いた場合、発熱量が少なく、また装置稼動時における騒音も軽減される。振動ミラー自身での発熱量が少ないことから、光走査装置における発熱量が軽減され、各部材による熱膨張が抑えられ、光走査装置内の発熱による画像品質の劣化が軽減される。光学特性による画像品質においては、振動ミラーに対応した走査光学系を用いることにより、従来のポリゴンスキャナ使用の光走査装置と同等以上の書込特性を得ることが可能となり、振動ミラーの姿勢調整を容易とする機構を設けることにより、短時間で高精度な画像品質を得る組付けが可能となる。タンデム型フルカラーの画像形成装置においても同様のことが言える。上記のことから、低コスト化、低消費電力、低発熱、低騒音、小型化に適した斜め入射方式の光走査装置において、組み付け誤差、加工誤差の影響による光ビームの副走査方向の角度変化を低減し、走査線曲がりと波面収差の劣化を低減し、光偏向器の発熱による画像品角劣化を抑えた、良好で安定した画像品質を実現可能な画像形成装置の実現が可能となる。
【００４６】
［第２の実施形態］
［例７］
本例は、光源と、該光源を保持する光源保持部材と、該光源から発する光ビームを所望の光束にするカップリングレンズと、該カップリングレンズを保持するカップリングレンズ保持部材とを有する光源装置において、前記カップリングレンズ保持部材に対する前記光源部材の固定を熱カシメにより行い、前記カップリングレンズ保持部材に対する前記光源保持部材の固定を接着により行う例である。
本例において、前記光源を含む光源保持部材に対して前記カップリングレンズは光軸進行方向に沿って位置調節可能であり、調節後に固定される。
【００４７】
本例ではカップリングレンズ保持部材に対する光源保持部材の固定を熱カシメにより行なうので、該固定において、締結部品を用いることなく、調整時間の短縮を図り、小型かつ安価で、交換が容易な光源装置の提供が可能となる。光源装置の基本構成について説明を加える。
【００４８】
＜光源装置の構成＞
図１０乃至図１５を適宜参照しつつ説明する。本例の光源装置１００は、半導体レーザによる光源１０１と、該光源１０１を保持する光源保持部材１０２０と、該光源１０１から発する光ビームを所望の光束にするカップリングレンズ１０４と、該カップリングレンズ１０４を保持するカップリングレンズ保持部材１０３０を主な要素としている。なお、カップリングレンズ保持部材１０３０には光ビームの形状を整えるアパーチャ１０９０が設けられる構成となっているが、このアパーチャ１０９０は本例の光源装置１００として必須の構成ではなく、光走査装置に設けるなど、別設されるようにしてもよい。
【００４９】
＜光源装置における要素部材の固定手段＞
図１３〜図１５に示すように光源１０１は、大径のフランジ状部（ヒートシンク部）１０１ａと、このフランジ状部１０１ａに隣接する小径の円筒状部１０１ｂを有する。この円筒状部１０１ｂを、円環状をした光源保持部材１０２０の内径部１０２０ａに嵌合させ締まり嵌めにより、光源１０１は光源保持部材１０２０と一体化されている。
【００５０】
（カップリングレンズの固定手段）
このようにして一体化された光源保持部材１０２０の組み付け対象物であるカップリングレンズ保持部材１０３０は全体としてその側面形状が概略凸字状をなしており、その中央から突出した部位が概略半円筒状（樋状）のレンズ支持台としての半円筒状部１０３０ｄを形成し、軸心方向からみた形状が概略凹型をしている。この半円筒状部１０３０ｄにおける概略凹型の内面は、カップリングレンズ１０４の取付部を構成し、ピント合わせに際して光軸進行方向に摺動できるように、略円板状をしたカップリングレンズ１０４の縁部である円周面との当たりを確保するために軸線方向に長い帯状の一対のレンズ支持部１０３０ｄ１を２すじ残した中抜きのレンズ設置溝構造をしている。
【００５１】
半円筒状部１０３０ｄは本体部である矩形板状をしたカップリングレンズ保持部材１０３０から突出している。半円筒状部１０３０ｄの基端部はフランジ状部１０３０ｅを介して板状の本体部と一体となっている。フランジ状部１０３０ｅの中心部には光源１０１からの光ビームを通すための孔１０３０ｆが形成されている。この孔１０３０ｆは半円筒状部１０３０ｄの内面を構成する樋状をした半円部の軸心と同心であり、本体部を貫通し、光源１０１からの光ビームをカップリングレンズ１０４に導く光通路を形成している。
【００５２】
矩形板状をしたカップリングレンズ保持部材１０３０の本体部は、当該カップリングレンズ保持部材１０３０を光源装置本体（一例を図１６に符号２０８で例示）光走査装置等に取り付ける際の取付座としても機能し、取り付け用のねじ孔が形成されている。また、半円筒状部１０３０ｄにおいてその自由端（基端側の反対側）の端部にはアパーチャ１０９０が固定される。アパーチャ１０９０の中央部には光ビームを所望の光束にする光整形用の開口１０９０ａが形成されている。カップリングレンズ保持部材１０３０の本体部であって、半円筒状部１０３０ｄが設けられた側の反対側の面には、光源１０１を保持した光源部材１０２０が取り付けられるようになっている。
【００５３】
（光源の位置調整及び固定）
図１１、図１３〜図１５を適宜参照しつつ説明する。本例における光源１０１の固定手段は前記例（第１の実施形態）におけるカップリングレンズ１０４の固定手段に類似している。光源１０１を保持した光源保持部材１０２０は、カップリングレンズ保持部材１０３０上、半円筒状部１０３０ｄが形成された側の反対側に調整器（治具）により当接される。この当接部は光源保持部材１０２０の端面１０２０ｂ（図１４参照）に対向して当接する平坦面であって該カップリングレンズ１０４の光軸方向と直交する平面である設置面１０３０ｄ２（図１５参照）である。設置面１０３０ｄ２は、孔１０３０ｆのまわりに形成されている。
【００５４】
光源保持部材１０３０が設置面１０３０ｄ２に当接の際は、光源保持部材１０２０と光源調整枠１０３０ａとの間には走査用の光ビームを形成するために必要な調整代が存在する。光源保持部材１０２０は設置面１０３０ｄ２に当接された状態でカップリングレンズ保持部材１０３０上に設けられた設置面１０３０ｄ２に密接された状態で光源調整枠１０３０ａ内にて、カップリングレンズ１０４との関係で、感光体の回転軸方向（主走査）、感光体の回転方向（副走査）、光軸を中心とする回転方向の３軸を基本として光軸位置を調整されてから、薄肉部１０３０ｂを熱カシメすることにより位置固定される。
【００５５】
＜カップリングレンズの位置調整及び固定＞
カップリングレンズ１０４の位置調整について説明を加える。カップリングレンズ１０４は、半円筒状部１０３０ｄに設けられた設置面であるレンズ支持部１０３０ｄ１にピント位置決め後、接着剤により固定される。これら光源の位置調整、カップリングレンズの位置調整は同時的に行なわれ、位置が定まったところで、光源とレンズは同時に固着されることとなる。
【００５６】
＜光源及びカップリングレンズの固定＞
＜熱カシメによる利点＞
本例では、ネジなどの締結部品を使用することなく光源装置を構成する光源、カップリングレンズが固定される構成のため、光源装置に用いる部品点数の軽減が可能となる。光源保持部材１０２０については、位置を調整した直後に熱により固着することから、機械的手段に比べ、固着時に起こる位置変動を抑え、良好な光ビームを形成することが可能となる。光源装置が共通の部品から構成されることにより、製造上の部品ばらつきが抑えられ、各光源装置間の光ビームが安定した品質を保つことが可能となる。また、光源保持部材１０２０の固定は、熱カシメに際して熱を加える部分を薄肉部１０３０ｂのみにすることにより加熱による光源への影響を最小限に抑えることが可能となる。さらに、光源とカップリングレンズを一体で調整することにより、調整箇所の軽減及び調整時間の縮小が可能となる。また、光源装置としてのサービスパーツ化が容易となり、組み換え前後の画像品質の差を軽減することが可能となる。
【００５７】
［例８］
例７では、光源装置において、光源１０１として単数の発光点を有するものについて説明した。本例においても、例２で述べたように、光源１０１に代えて、複数の発光点を有する光源、所謂マルチ光源を用いることができる。例えば、光源１０１に代えて、複数の発光点を有する半導体レーザアレイ等を使用し、複数の光ビームを偏向させて、複数の感光体表面に同時に走査するように構成することにより、高速化、高密度化を図った光走査装置および画像形成装置を構成することができ、かかる光走査装置および画像形成装置を構成した場合も、これまで説明してきた効果と同様の効果を得ることができる。
【００５８】
マルチビーム光源装置の具体例を図１６、図１７により説明する。
半導体レーザからなる光源２０１、２０２は、各々光源を保持する光源保持部材２０３、２０４に形成した嵌合孔２０３ａ、２０４ａの入口側（光源側）から個別に嵌合され、締まり嵌めにより固定されている。光源保持部材２０３、２０４の嵌合孔２０３ａ、２０４ａの出口側（カップリングレンズ保持部材２０５と対面する側）には図示しないが嵌合孔２０３ａ、２０４ａと同心のリング状の凸部が形成されている。一方、カップリングレンズ保持部材２０５上であって、光源保持部材２０３、２０４との対向面部には光路用開口２０５ｆ、２０５ｇが形成されていて、さらにこれら光路用開口２０５ｆ、２０５ｇのまわりには、上記図示しない凸部と緩い嵌合関係を有する光源調整枠（図示されず）が構成されている。この光源調整枠は前記図１１等に示した光源調整枠１０３０ａに準ずる構成をしていて、これら凸部と光源調整枠の組み合わせは、図１１等で示した熱カシメ構造に準じた固定手段を構成し、該固定手段により、光源保持部材２０３、２０４はカップリングレンズ保持部材２０５に対して位置調整後に熱カシメにより固定される。カップリングレンズ保持部材２０５の裏側に形成される当接面２０５ｄ、２０５ｅは、主走査方向に所定角度（α）、実施例では約１度という微小な角度で傾斜しており、各々光源保持部材２０３、２０４がそれぞれ、当接面２０５ｄ、２０５ｅに沿って当接して固定されることにより、光源２０１、２０２も主走査方向へ約１度傾斜することになる。
【００５９】
光源２０１、２０２は、そのフランジ状部（ヒートシンク部）２０１ａ、２０２ａに切り欠きが形成されていて、光源保持部材２０３、２０４に形成された切り欠き２０３ｂ、２０４ｂに合わせられることにより、発光源の配列方向が合わせられる。また、カップリングレンズとしてのコリメートレンズ２０６、２０７は各々その外周をカップリングレンズ保持部材２０５の溝状の取り付けガイド面２０５ａ、２０５ｂに沿わせて光軸方向の調整が行われ、光源２０１、２０２から射出した発散ビームが平行光束となるよう位置決めされ接着される。
【００６０】
これら複数個の光源保持部材２０３、２０４をカップリングレンズ保持部材２０５に副走査方向に配列して保持することで、本発明の光源装置１５０において、複数の発光点を有するマルチビーム光源装置とすることが可能となる。このとき、光源保持部材２０３、２０４の光源２０１、２０２を副走査方向に角度（α）を持つように形成してもよいし、各々の光源保持部材２０３、２０４を副走査方向に角度（α）を持つようにカップリングレンズ保持部材２０５に保持させてもよい。
【００６１】
さらに、本発明の構成を光源保持部材２０３、２０４とカップリングレンズ保持部材２０５と間で適用し、光源保持部材２０３、２０４のほかにカップリングレンズ保持部材２０５についても副走査方向の角度を調整する機構を設けても構わない。また、光源２０１、２０２は、複数の発光点を持つ半導体レーザアレイを用いても構わない。また、半導体レーザアレイを複数持たず、単独でマルチビームを構成してもよいことはいうまでもない。
【００６２】
カップリングレンズ保持部材２０５には取り付けガイド面２０５ａ，２０５ｂを囲む嵌合筒２０５ｃが一体形成されている。一方、側面形状がＬ字状をした光源装置本体２０８の立ち壁状部には嵌合筒２０５ｃと嵌合する光路用開口２０８ａが形成されている。光源保持部材２０３、２０４を熱カシメで、カップリングレンズ２０６、２０７を接着により固定されたカップリングレンズ保持部材２０５は、嵌合筒２０５ｃを光路用開口２０８ａに嵌合させることにより光源装置本体２０８に固定される。上記立ち壁状部の、カップリングレンズ保持部材２０５取付け側の反対側には、アパーチャ２０９が取付けられる。アパーチャ２０９には、光源２０１、２０２に対応させて開口２０９ａ、２０９ｂが形成されている。
【００６３】
［例９］
例７の光源装置において、光源保持部材１０２０として金属、カップリングレンズ保持部材１０３０として樹脂を用いることにより、溶融点の違いにより、薄肉部１０３０ｂ（樹脂）と光源保持部材１０２０（金属）との間で熱カシメを良好に行なうことができる。なお、例７ではカップリングレンズ１０４を接着剤による接着により半円筒状部１０３０ｄに固定しているが、これに限らず、カップリングレンズ１０４は硝子であり、樹脂からなる半円筒状部１０３０ｄとの間でも材料の違いから溶融点に差があるので熱カシメによる固定も必要に応じて可能である。
【００６４】
［例１０］
画像形成用に整えられた形状の光束を出射する光源装置と、該光源装置より出射された光ビームを感光体の軸方向である主走査方向に走査する光偏向器を具備してなる光走査装置において、例７、８、９等の構成からなる光源装置を使用することにより、熱カシメによる光学部材の固定を適用したかかる光源装置の特性を生かした光走査装置を提供することができる。
【００６５】
［例１１］
例７の光源装置１００或いは例８の光源装置１５０を適用した光走査装置について例５（図７、図８参照）の斜め入射光学系の構成をとることにより、光走査装置全体の物理的な大きさを抑えることが可能である。
【００６６】
［例１２］
光ビームを感光体上に走査して静電潜像を形成し、この静電潜像をトナーにより可視像化し、記録媒体に転写し、定着して記録画像を得る画像形成装置において、例７や例８で説明した光源装置や該光源装置を用いた光走査装置を適用することができる。また、これらの光源装置や該光源装置を用いた光走査装置を前記例６のタンデム型フルカラーレーザプリンタ（図９参照）やその他の画像形成装置に適用することにより低コスト化、低消費電力、小型化に適した斜め入射方式の光走査装置において、組み付け誤差、加工誤差の影響による光ビームの副走査方向の角度変化を低減し、走査線曲がりと波面収差の劣化を低減し、良好で安定した画像品質を実現可能な画像形成装置の実現が可能となる。本第２の実施形態に係る光源装置を用いた光走査装置及び画像形成装置において、従来のポリゴンスキャナと比較し、振動ミラーを用いた場合において、前記第１の実施の形態の文末で述べたと同様、発熱量が少なく、また装置稼動時における騒音も軽減される。振動ミラー自身での発熱量が少ないことから、光走査装置における発熱量が軽減され、各部材による熱膨張が抑えられ、光走査装置内の発熱による画像品質の劣化が軽減されるなどの利点があることはもちろんである。
【符号の説明】
【００６７】
１、１００、１５０  光源装置
６Ｙ  光走査光学系
８Ｙ  帯電チャージャ
９  光走査装置
１０Ｙ  現像装置
１１Ｙ  転写チャージ
１２Ｙ  クリーニング装置
１３  給紙カセット
１４  送り出しローラ
１５  分離ローラ対
１６  レジストローラ
１７  搬送ベルト
１８、１９  支持ローラ
２０  ベルト帯電チャージャ
２１  ベルト分離チャージャ
２２  除電チャージャ
２３  クリーニング装置
２４  定着装置
２５  排紙ローラ
２６  排紙トレイ
１０１、２０１、２０２  光源
１０１ａ、２０１ａ、２０２ａ  フランジ状部（ヒートシンク部）
１０１ｂ  円筒状部
１０２、１０２０、２０３、２０４  光源保持部材
１０２ａ、１０２０ａ  内径部
１０２ｂ  凸部
１０３、２０５  カップリングレンズ保持部材
１０３ａ  カップリングレンズ用の調整枠
１０３ｃ  光源装置設置溝
１０３ａ１、１０３ｃ１、１０３０ｂ  薄肉部
１０３ｄ  円筒状部
１０３ｄ１  内径部（開口）
１０３ｄ２、１０３０ｄ２  設置面
１０３ｅ  平板状部
１０４  カップリングレンズ
１０６、１０７  結像光学系
１０９、２０９、１０９０  アパーチャ
１０９ａ、１０９０ａ、２０９ａ、２０９ｂ  開口
１１０  シリンドリカルレンズ
１１２  光偏向器
１１３  斜め入射平面
１１４、１１５  平面
２０３ａ、２０４ａ  嵌合孔
２０３ｂ、２０４ｂ  切り欠き
２０５ａ、２０５ｂ  取り付けガイド面
２０５ｃ  嵌合筒
２０５ｄ、２０５ｅ  当接面
２０５ｆ、２０５ｇ  光路用開口
２０６、２０７  コリメートレンズ
２０８  光源装置本体
２０８ａ  光路用開口
１０２０ａ  内径部
１０２０ｂ  端面
１０３０ａ  調整枠
１０３０ｄ  半円筒状部（レンズ支持台）
１０３０ｄ１  レンズ支持部
１０３０ｅ  フランジ状部
１０３０ｆ  孔
１０９０ｂ  ねじ
Ｌ  光ビーム
Ｌ１、Ｌ２、Ｌ３、Ｌ４  出射光束
ＭＲ  ミラー
Ｓ  転写紙
α  角度
【先行技術文献】
【特許文献】
【００６８】
【特許文献１】特開平９‐５４２６３号公報
【特許文献２】特開２００１‐４９４８号公報
【特許文献３】特開２００１‐１０１０７号公報
【特許文献４】特開２００１‐３３７２０号公報
【特許文献５】特開２００３‐５１１４号公報
【特許文献６】特開平１１‐１４９３２号公報
【特許文献７】特開平１１‐３８３４８号公報
【特許文献８】特開２００４‐７０１０９号公報
【特許文献９】特開平１０‐７３７７８号公報
【特許文献１０】特開２００４‐２７１９０６号公報
【特許文献１１】特開２００５‐３７５５８号公報
【特許文献１２】特開２００６‐２２７０４７号公報
【特許文献１３】特開２００４‐３０９９０２号公報
【特許文献１４】特開２００５‐３７５６０号公報
【特許文献１５】特許第３９１７８８９号公報
【図１】
2010204205.tif 000003
【図２】
2010204205.tif 000004
【図３】
2010204205.tif 000005
【図４】
2010204205.tif 000006
【図５】
2010204205.tif 000007
【図６】
2010204205.tif 000008
【図７】
2010204205.tif 000009
【図８】
2010204205.tif 000010
【図９】
2010204205.tif 000011
【図１０】
2010204205.tif 000012
【図１１】
2010204205.tif 000013
【図１２】
2010204205.tif 000014
【図１３】
2010204205.tif 000015
【図１４】
2010204205.tif 000016
【図１５】
2010204205.tif 000017
【図１６】
2010204205.tif 000018
【図１７】
2010204205.tif 000019